(57)【要約】【課題】二重床を間仕切る間仕切壁パネルにおいて、台座と間仕切壁パネルとの間、及び、台座と床ランナーとの間に相対運動が生じてこれらの間でこすれ音やきしみ音が生じることのない間仕切壁パネルの支持構造を提供する。【解決手段】二重床１の床面に床ランナー２を固定して該床ランナー２に金属製の台座３を固定し、この台座３に間仕切壁パネル４の下端部を載置する間仕切壁パネルの支持構造である。床ランナー２と台座３との当接部分及び、台座３と間仕切壁パネル４の下端部との当接部分にこすれ音の発生を防止するための緩衝部材５を介在させた。【選択図】        図１
2004150043.tif 000002
【特許請求の範囲】
【請求項１】
二重床の床面に床ランナーを固定して該床ランナーに金属製の台座を固定し、この台座に間仕切壁パネルの下端部を載置する間仕切壁パネルの支持構造において、床ランナーと台座との当接部分及び、台座と間仕切壁パネルの下端部との当接部分にこすれ音の発生を防止するための緩衝部材を介在させることを特徴とする間仕切壁パネルの支持構造。
【請求項２】
台座の内部に電線が配線される配線部を形成すると共に、台座の上部に間仕切壁パネルが載置される載置部を形成して成ることを特徴とする請求項１記載の間仕切壁パネルの支持構造。
【請求項３】
台座の長手方向の両側の開口端部の端面の内外面に亘って  緩衝部材を嵌め込んで取り付けることを特徴とする請求項２記載の間仕切壁パネルの支持構造。
【発明の詳細な説明】
【０００１】
【発明の属する技術分野】
本発明は、床が二重床となった部屋を間仕切る間仕切壁パネルの支持構造に関するものである。
【０００２】
【従来の技術】
従来より、床が二重床となった部屋を間仕切る場合、床上に床ランナーを固定してこの床ランナーに台座を嵌め込んで固定し、この台座に間仕切壁パネルの下端部を載置するものがある（例えば、特許文献１参照）。
【０００３】
このような間仕切壁パネルの支持構造にあっては、通常は台座は金属製であると共に、床ランナーと間仕切壁パネルは木製であるため、床が振動したりすると、間仕切壁パネルと台座との間や台座と床ランナーとの間に相対運動が生じてこれらのこすれ音やきしみ音が生じるという問題があった。
【０００４】
【特許文献１】
特開２００２−１４９５２９号公報
【０００５】
【発明が解決しようとする課題】
本発明は上記の点に鑑みて発明したものであって、その目的とするところは、二重床を間仕切る間仕切壁パネルにおいて、台座と間仕切壁パネルとの間、及び、台座と床ランナーとの間に相対運動が生じてこれらの間でこすれ音やきしみ音が生じることのない間仕切壁パネルの支持構造を提供することを課題とするものである。
【０００６】
【課題を解決するための手段】
上記課題を解決するために本発明の間仕切壁パネルの支持構造にあっては、二重床１の床面に床ランナー２を固定して該床ランナー２に金属製の台座３を固定し、この台座３に間仕切壁パネル４の下端部を載置する間仕切壁パネルの支持構造において、床ランナー２と台座３との当接部分及び、台座３と間仕切壁パネル４の下端部との当接部分にこすれ音の発生を防止するための緩衝部材５を介在させることを特徴とするものである。このような構成とすることで、床が振動したりして床ランナー２と台座３との間に相対運動を生じさせるような力が加わったり、台座３と間仕切壁パネル４との間に相対運動を生じさせるような力が加わってこれらの間に相対運動が生じても、これらの間に介在する緩衝部材５によってこすれ音やきしみ音等が発生するのを阻止することができる。
【０００７】
また、台座３の内部に電線８が配線される配線部３０を形成すると共に、台座３の上部に間仕切壁パネル４が載置される載置部３３を形成することが好ましい。このような構成とすることで、簡単な構成で台座３を形成できる。
【０００８】
また、台座３の長手方向の両側の開口端部の端面の内外面に亘って緩衝部材５を嵌め込んで取り付けることが好ましい。このような構成とすることで、台座３内の配線部３０に配した電線を取出したり配線部３０に電線を配したりする際、電線が台座３の開口端縁のエッジに接触しても、緩衝部材５を設けてあるため電線が損傷したりするのを防止することが可能となる。
【０００９】
【発明の実施の形態】
本発明を添付図面に示す実施形態に基づいて説明する。
【００１０】
まず、本発明における二重床１の一例について説明する。二重床１は、図４に示すように、床スラブ１０上に複数の支持脚１１を載置して固定し、この支持脚１１上に床下地材１２を載置して敷設し、床下地材１２の上面に床仕上げ材１３を設けて構成される。このような二重床１を床面とする部屋を仕切って複数の部屋を形成するため、天井と床面との間に間仕切壁パネル４を配設して各部屋に仕切るものである。以下、間仕切壁パネル４の配設について説明する。
【００１１】
間仕切壁パネル４の天井面６への固定は、間仕切壁パネル４の上端部を天井面６に直接固定するか、あるいは、天井面６に天井ランナー６１を固定してこの天井ランナー６１に間仕切壁パネル４の上端部を固定することで行う。なお、天井面６としては、コンクリート下地等からなる天井スラブ６０面であったり、前記のような天井スラブ６０から吊下げた吊具６１に野縁等の天井下地材６３を取り付けると共に、この天井下地材６３に天井仕上げ材６４を取り付けて形成した二重天井の前記天井仕上げ材６４の下面であってもよい。
【００１２】
次に、間仕切壁パネル４の床面への固定について説明する。間仕切壁パネル４の下端部を床面に載置固定するにあたっては、図４に示すように、床面に床ランナー２を固定すると共にこの床ランナー２に台座３を固定し、この台座３に間仕切壁パネル４の下端部を載置固定するものである。
【００１３】
床ランナー２は、床下地材１２の上面に載置固定される長尺のもので、上方を向く凹部２１を有する断面略転倒コ字状をした木製のものである（図１参照）。
この床ランナー２の上記凹部２１は、後述する台座３の嵌め込み部となるもので、この長尺の床ランナー２にて台座３の位置決めが行われて複数の台座３を同一直線上に配置することができる（図５参照）。なお、床下地材１２の上面の床ランナー２が載置固定される部分には床仕上げ材１３を設けず、床ランナー２が載置固定されない部分に床仕上げ材１３を設けるものである。
【００１４】
台座３は、図１，図２に示すように、上方を向く凹所を有する断面略転倒コ字状をした金属製のもので、その底片３１及び該底片３１から立ち上がる両側片３２が上述した床ランナー２の凹部２１に嵌め込まれる。そして、上方を向く凹所内は、電力線や情報線等の電線が配される配線部３０としてある。
【００１５】
台座３の両方の側片３２は、その中央部を内側に折曲して間仕切壁パネル４の下端部が載置される載置部３３を形成している。更に詳述すると、両方の側片３２は、長手方向の両側において端から長手方向の略１／３程のところに上端縁から下方に向けて側片３２の高さの略１／４程の切込みを入れ、その切込み間を内側に略９０°折曲して載置部３３を形成してある。そして、この載置部３３上に間仕切壁パネル４の下端部が載置される。なお、図中７は間仕切壁パネル４の下端部と床面との間の隙間及び台座３を隠すための幅木を示し、８は配線を示す。
【００１６】
間仕切壁パネル４は、正面視略ロ字状をした木製の枠材４１の両側に化粧木板や化粧石膏ボード等の表面材４２を固着したもので（図５参照）、その下端部においては、図１に示すように、台座３の載置部３３に下枠材４１ａが載置されて且つ、台座３の載置部３３の側方の側片３２の上端より上に間仕切壁パネル４の表面材４２の下端部が位置するように下枠材４１ａが表面材４２よりも下方に突出する突出部としてある。そして、このような間仕切壁パネル４は、台座３の載置部３３に下枠材４１ａが載置されて且つ、台座３の側片３２が下枠材４１ａの側面に位置して且つ表面材４２の下側に位置するように取り付けられ、ビスや釘等の固着具を台座３の取付孔３５を介して間仕切壁パネル４に取り付けて固定される。
【００１７】
なお、台座３と間仕切壁パネル４とにあっては、上述したような間仕切壁パネル４の下枠材４１ａが表面材４２よりも下方に突出した突出部を有し且つ、台座３が側片３２の一部を折曲して載置部３３を設けたものに限定されず、台座３の上端部を平板状に形成して載置部３３とすると共に、間仕切壁パネル４の下枠材４１ａが表面材４２よりも上方に凹んで凹み部が形成され、この凹み部に台座３の平板状の載置部３３に被嵌して載置するようにしてもよい。
【００１８】
以上のような床ランナー２と台座３との間、及び、台座３と間仕切壁パネル４との間には、緩衝部材５を設けるものである。
【００１９】
緩衝部材５は、例えばゴムのような材料であったり、摩擦係数の少ない例えば四フッ化エチレン等の材料で形成されるもので、図１，図２等に示すように、床ランナー２と台座３とが当接する部分、台座３と間仕切壁パネル４とが当接する部分に介在させる。
【００２０】
このようにすることで、床が振動したりして床ランナー２と台座３との間に相対運動を生じさせるような力が加わったり、台座３と間仕切壁パネル４との間に相対運動を生じさせるような力が加わったりした時、これらの間に相対運動が生じたとしても間に介在する緩衝部材５によってこすれ音やきしみ音等が発生するのを阻止することができる。また、台座３を本実施形態のように、内部に電線８が配線される配線部３０が形成されると共に上部に間仕切壁パネル４が載置される載置部３３が形成される断面が略ロ字状又は上方に開口する略コ字状に形成することで、簡単な構成で台座３を形成できる。
【００２１】
次に、緩衝部材５の他例を図３に示す。これは、台座３の長手方向の開口端縁に、床ランナー２に当接する外面、及び間仕切壁パネル４の下端部に当接する内面に亘る断面略コ字状をした緩衝部材５を開口端縁の全長に亘って嵌め込んでもよい。このようにすることで、上述したように床ランナー２と台座３とのこすれ及び台座３と間仕切壁パネル４とのこすれによるこすれ音やきしみ音が生じるのを阻止するのに加えて、台座３内の配線部３０に配した電線を取出したり配線部３０に電線を配したりする際、電線が台座３の開口端縁のエッジに接触しても、緩衝部材５を設けてあるため電線が損傷したりするのを防止することが可能となるものである。
【００２２】
【発明の効果】
上述のように請求項１記載の発明にあっては、二重床の床面に床ランナーを固定して該床ランナーに金属製の台座を固定し、この台座に間仕切壁パネルの下端部を載置する間仕切壁の支持構造において、床ランナーと台座との当接部分及び、台座と間仕切壁パネルの下端部との当接部分にこすれ音の発生を防止するための緩衝部材を介在させたので、床が振動したりして床ランナーと台座との間に相対運動を生じさせるような力が加わったり、台座と間仕切壁パネルとの間に相対運動を生じさせるような力が加わってこれらの間に相対運動が生じても、これらの間に介在する緩衝部材によってこすれ音やきしみ音等が発生するのを阻止することができる。
【００２３】
また、請求項２記載の発明にあっては、請求項１記載の発明の効果に加えて、台座の内部に電線が配線される配線部を形成すると共に、台座の上部に間仕切壁パネルが載置される載置部を形成したので、簡単な構成で台座を形成できる。
【００２４】
また、請求項３記載の発明にあっては、請求項２記載の発明の効果に加えて、台座の長手方向の両側の開口端部の端面の内外面に亘って緩衝部材を嵌め込んで取り付けるので、台座内の配線部に配した電線を取出したり配線部に電線を配したりする際、電線が台座の開口端縁のエッジに接触しても、緩衝部材を設けてあるため電線が損傷したりするのを防止することが可能となる。
【図面の簡単な説明】
【図１】本発明の一実施形態の側断面図である。
【図２】同上における台座及び緩衝部材の一例の斜視図である。
【図３】同上における台座及び緩衝部材の他例の斜視図である。
【図４】本発明の間仕切壁パネルの支持構造が適用される二重床及び二重天井の側断面図である。
【図５】同上の側面図である。
【符号の説明】
１  二重床
２  床ランナー
３  台座
４  間仕切壁パネル
５  緩衝部材
【図１】
2004150043.tif 000003
【図２】
2004150043.tif 000004
【図３】
2004150043.tif 000005
【図４】
2004150043.tif 000006
【図５】
2004150043.tif 000007